(57)【要約】    【目的】ほつれ糸が出ている被検物を搬送しても正常に搬送することができるランドリモニタを提供する。    【構成】被検物を搬送するために搬送部の出口側に配置されている下側駆動ローラ23の下側丸ベルト26引き込み側のベルト溝231の上部およびその前方で下側丸ベルト26の通過部（図の切込み部221に相当）を除く部分を下側丸ベルト26の上面より低い高さで覆う櫛形のほつれ糸巻込み防止板22を備え、これの上面には、下側丸ベルト26の直下で下側駆動ローラ23に近い位置にほつれ糸排除突起222を備えている。【選択図】        図１
2005134297.tif 000002
【特許請求の範囲】
【請求項１】
原子力発電所等の放射性物質取扱施設において作業した業務従事者が着用した衣類等を洗濯して汚れを除去した除染済み衣類等の被検物の放射能汚染の有無を検査し且つその検査結果によって被検物を仕分けるために、被検物の搬送手段および放射能汚染検査手段、仕分け手段等を備えたランドリモニタであって、
前記搬送手段として、前記被検物を搭載して循環する複数の輪ゴム状のエンドレスベルト群と、被検物の搬送部の出口側に配置され、エンドレスベルト群を嵌め込むための複数のベルト溝を有し、且つ駆動モータによって駆動されてベルト溝に嵌め込まれたエンドレスベルト群を循環させる駆動ローラと、駆動ローラと合わせてエンドレスベルト群の位置を決めてエンドレスベルト群を案内する複数のローラと、を備えており、
前記駆動ローラの内の下側駆動ローラとこの駆動ローラに引き込まれてくる前記エンドレスベルト群との間に、被検物のほつれ糸が前記ベルト溝に巻き込まれるのを防止するためのほつれ糸巻込み防止板を備えている、
ことを特徴とするランドリモニタ。
【請求項２】
原子力発電所等の放射性物質取扱施設において作業した業務従事者が着用した衣類等を洗濯して汚れを除去した除染済み衣類等の被検物の放射能汚染の有無を検査し且つその検査結果によって被検物を仕分けるために、被検物の搬送手段および放射能汚染検査手段、仕分け手段等を備えたランドリモニタであって、
前記搬送手段として、前記被検物を搭載して循環する複数の輪ゴム状のエンドレスベルト群と、被検物の搬送部の出口側に配置され、エンドレスベルト群を嵌め込むための複数のベルト溝を有し、且つ駆動モータによって駆動されてベルト溝に嵌め込まれたエンドレスベルト群を循環させる駆動ローラと、駆動ローラと合わせてエンドレスベルト群の位置を決めてエンドレスベルト群を案内する複数のローラと、を備えており、
前記駆動ローラの内の下側駆動ローラの前記エンドレスベルト群引き込み側のベルト溝の上部およびその前方でエンドレスベルト郡の通過部を除く部分をエンドレスベルト群の上面より低い高さで覆っている櫛形のほつれ糸巻込み防止板を備えている、
ことを特徴とするランドリモニタ。
【請求項３】
前記のほつれ糸巻込み防止板または櫛形のほつれ糸巻込み防止板の上面で、エンドレスベルト群の通過部直下の駆動ローラに近い位置に、ほつれ糸を左右に移動させるほつれ糸排除突起を備えている、
ことを特徴とする請求項１または請求項２に記載のランドリモニタ。
【請求項４】
前記ほつれ糸排除突起の平面形状が、円形、エンドレスベルト群の移動方向を対角線とする正方形または菱形、あるいはエンドレスベルト群が送り込まれてくる側を頂点とする正三角形または二等辺三角形のいずれかである、
ことを特徴とする請求項３に記載のランドリモニタ。
【発明の詳細な説明】
【技術分野】
【０００１】
この発明は、原子力発電所等の放射性物質取扱施設において作業した業務従事者が着用した衣類等の放射性物質による汚染（放射能汚染）を除去するための洗濯（除染）を完了した後に、被検物である除染済み衣類等の放射能汚染の有無を検査し且つその検査結果によって被検物を仕分けるランドリモニタに関する。
【背景技術】
【０００２】
図３は従来のランドリモニタの一例の外観を示す斜視図であり、図４はその内部構造を示す側断面図である。
ランドリモニタは、上述したように、放射性物質取扱施設で作業した業務従事者が着用した衣類等の除染後に、その放射能汚染の有無を検査して仕分ける装置であり、被検物である除染済み衣類等を載せて装置内へ送り込むための折りたたみ式テーブル１と、被検物を搬送するための搬送部２と、被検物からの放射線を検出する放射線検出部4と、制御部5と、「挿入可」表示灯61や音声発生部62やプリンタ63と、装置を操作するためのスイッチ類や表示器等を備えた操作パネル７と、メンテナンス扉８と、不図示の表示灯付き運用モード切換スイッチ等と、を備えている。
搬送部２は、不図示の駆動用モータやモータの動力を伝える駆動伝達ベルトと、駆動伝達ベルトに駆動される下側駆動ローラ23および上側駆動ローラ24と、これらのローラ23および24でそれぞれに駆動されるゴム製の下側丸ベルト26および上側丸ベルト27と、これらの丸ベルト26および27の位置を決める複数の固定位置ローラ30と、これらの丸ベルト26および27の位置を決め且つこれらの丸ベルト26および27に適当な張力を付与する上下それぞれのテンションローラ25および不図示のテンション調節機構と、搬送される被検物の位置を検知する入口側光電センサ28および出口側光電センサ29と、で構成されている。下側駆動ローラ23および上側駆動ローラ24は、丸ベルト26および27が弛むことを避けるために、衣類等を搬送する部分の出口側に配置されて、丸ベルト26および27をそれぞれに引っ張っている。なお、被検物が搬送される部分の下側丸ベルト26の下側には不図示の搬送部ガイド板が配備されている。
【０００３】
下側駆動ローラ23および上側駆動ローラ24と、複数の固定位置ローラ30と、テンションローラ25と、被検物保持搬送部材である下側丸ベルト26および上側丸ベルト27とが、下上それぞれのコンベアを構成している。下側駆動ローラ23、上側駆動ローラ24、固定位置ローラ30およびテンションローラ25には、丸ベルト26または27の位置を正確に保たせるための位置決め用のベルト溝231等が形成されている。図５は下側駆動ローラ23の詳細形状を示す正面図であり、図の左側には丸ベルト無しの状態が示され、右側には丸ベルト有りの状態が示されている。両光電センサ28および29は、それぞれ投光器および受光器からなる。
放射線検出部４は、プラスチックシンチレータ検出器41と、これを囲む鉛シールド42と、不図示の信号処理回路とで構成されている。
【０００４】
「挿入可」表示灯61は、被検物の装置内部滞留等の異常がない場合に点灯され、業務従事者が被検物を折りたたみ式テーブル１の上に載せて下側丸ベルト26で構成されるコンベアへ挿入すると、音声発生部62が「ピンポン」という音を発生する。挿入された被検物は、操作パネル３の測定開始ボタンの操作によって搬送され、放射線検出部４で放射能汚染の有無を検査され、その検査結果によって仕分けられる。検査結果や設定値等はプリンタ63で印刷される。また、運用モード切換スイッチによって、運用モードが、通常測定用の自動モード、線源を用いた放射線検出器の校正時等に適用される校正モード、またはメンテナンス時に適用される手動モードに切り替えられる。
操作パネル７は、測定を開始させる測定開始ボタン、測定を終了させる測定終了ボタン、機器の故障や異常等の各種情報を表示するＬＣＤ操作表示器、故障および異常が復旧した後に警報をリセットする警報リセットスイッチ、測定した被検物の枚数をカウントするカウンタをリセットするカウンタリセットスイッチ等を備えている。
【０００５】
この種のランドリモニタとしては、特許文献１に記載されている構成のものが知られている。
【特許文献１】特開平６−123776号公報
【発明の開示】
【発明が解決しようとする課題】
【０００６】
上記のような構成のランドリモニタにおいては、被検物は、下側駆動ローラ23および上側駆動ローラ24でそれぞれに駆動され固定位置ローラ30およびテンションローラ25で案内される複数の下側丸ベルト26および上側丸ベルト27によって搬送されるが、被検物がほつれてほつれ糸を出している場合には、このほつれ糸が、被検物の搬送部の出口側にある下側駆動ローラ23のベルト溝231に入って巻きつくことがあり、ほつれ糸が切れない場合には、被検物が下側駆動ローラ23の位置に滞留する。この状態は、ほつれ糸が出やすく且つ軽い手袋や靴下の場合に発生しやすい。作業服等のような重い被検物の場合には、ほつれ糸が巻き付いても切れてしまうので、滞留することは殆どない。ひとたび滞留状態になると、後から搬送されてくる被検物もうまく搬送できなくなるので、この位置に被検物が山積状態となって、駆動用モータに過負荷がかかり、駆動モータを停止させることにもなる。このような状態が発生するのは、下側のコンベアの搬送部出口側である。
【０００７】
この発明の課題は、上記のような搬送時のトラブルを解消して、ほつれ糸が出ている被検物を搬送しても正常に搬送することができるランドリモニタを提供することである。
【課題を解決するための手段】
【０００８】
請求項１の発明は、原子力発電所等の放射性物質取扱施設において作業した業務従事者が着用した衣類等を洗濯して汚れを除去した除染済み衣類等の被検物の放射能汚染の有無を検査し且つその検査結果によって被検物を仕分けるために、被検物の搬送手段および放射能汚染検査手段、仕分け手段等を備えたランドリモニタであって、前記搬送手段として、前記被検物を搭載して循環する複数の輪ゴム状のエンドレスベルト群と、被検物の搬送部の出口側に配置され、エンドレスベルト群を嵌め込むための複数のベルト溝を有し、且つ駆動モータによって駆動されてベルト溝に嵌め込まれたエンドレスベルト群を循環させる駆動ローラと、駆動ローラと合わせてエンドレスベルト群の位置を決めてエンドレスベルト群を案内する複数のローラと、を備えており、前記駆動ローラの内の下側駆動ローラとこの駆動ローラに引き込まれてくる前記エンドレスベルト群との間に、被検物のほつれ糸が前記ベルト溝に巻き込まれるのを防止するためのほつれ糸巻込み防止板を備えている。
【０００９】
この発明は、下側駆動ローラと駆動ローラに引き込まれてくるエンドレスベルト群との間にほつれ糸巻込み防止板を備えているので、搬送される被検物のほつれ糸が下側駆動ローラのベルト溝に巻き込まれる可能性を大幅に低減させる。
請求項２の発明は、原子力発電所等の放射性物質取扱施設において作業した業務従事者が着用した衣類等を洗濯して汚れを除去した除染済み衣類等の被検物の放射能汚染の有無を検査し且つその検査結果によって被検物を仕分けるために、被検物の搬送手段および放射能汚染検査手段、仕分け手段等を備えたランドリモニタであって、前記搬送手段として、前記被検物を搭載して循環する複数の輪ゴム状のエンドレスベルト群と、被検物の搬送部の出口側に配置され、エンドレスベルト群を嵌め込むための複数のベルト溝を有し、且つ駆動モータによって駆動されてベルト溝に嵌め込まれたエンドレスベルト群を循環させる駆動ローラと、駆動ローラと合わせてエンドレスベルト群の位置を決めてエンドレスベルト群を案内する複数のローラと、を備えており、前記駆動ローラの内の下側駆動ローラの前記エンドレスベルト群引き込み側のベルト溝の上部およびその前方でエンドレスベルト群の通貨部を除く部分をエンドレスベルト群の上面より低い高さで覆っている櫛形のほつれ糸巻込み防止板を備えている。
【００１０】
櫛形のほつれ糸巻込み防止板は、エンドレスベルト群がいくらかはまり込んだベルト溝の部分まで覆うことができるので、搬送される被検物のほつれ糸が駆動ローラのベルト溝に巻き込まれる可能性を、請求項１の発明の場合に比べて更に一層低減させる。
請求項３の発明は、請求項１の発明または請求項２の発明において、前記のほつれ糸巻込み防止板または櫛形のほつれ糸巻込み防止板の上面で、エンドレスベルト群の通過部直下の駆動ローラに近い位置に、ほつれ糸を左右に移動させるほつれ糸排除突起を備えている。
ほつれ糸排除突起は、垂れ下がった状態でほつれ糸巻込み防止板または櫛形のほつれ糸巻込み防止板の上を滑ってくるほつれ糸を左右に移動させるので、ほつれ糸がベルト溝内に入る可能性を更に低減させる。
【００１１】
請求項４の発明は、請求項３の発明において、前記ほつれ糸排除突起の平面形状が、円形、エンドレスベルト群の移動方向を対角線とする正方形または菱形、あるいはエンドレスベルト群の送り込まれてくる側を頂点とする正三角形または二等辺三角形のいずれかである。
これらの形状は、垂れ下がった状態でほつれ糸巻込み防止板等の上を滑ってくるほつれ糸を左右に移動させるのに最適の形状である。
【発明の効果】
【００１２】
請求項１の発明においては、下側駆動ローラと駆動ローラに引き込まれてくるエンドレスベルト群との間にほつれ糸巻込み防止板を備えているので、搬送される被検物のほつれ糸が下側駆動ローラのベルト溝に巻き込まれる可能性が大幅に低減する。したがって、この発明によれば、ほつれ糸が出ている被検物を搬送しても正常に搬送することができるランドリモニタを提供することができる。
請求項２の発明においては、エンドレスベルト群がいくらかはまり込んだベルト溝の部分まで覆うことができる櫛形のほつれ糸巻込み防止板を備えているので、搬送される被検物のほつれ糸が駆動ローラのベルト溝に巻き込まれる可能性が、請求項１の発明の場合に比べて更に一層低減する。
請求項３の発明においては、垂れ下がった状態でほつれ糸巻込み防止板または櫛形のほつれ糸巻込み防止板の上を滑ってくるほつれ糸を左右に移動させるほつれ糸排除突起を備えているので、ほつれ糸がベルト溝内に入る可能性が更に低減する。
【００１３】
請求項４の発明においては、ほつれ糸排除突起の平面形状を、円形、エンドレスベルト群の移動方向を対角線とする正方形または菱形、あるいはエンドレスベルト群の送り込まれてくる側を頂点とする正三角形または二等辺三角形のいずれかとしているが、これらの形状は、垂れ下がった状態でほつれ糸巻込み防止板等の上を滑ってくるほつれ糸を左右に移動させるのに最適の形状である。
【発明を実施するための最良の形態】
【００１４】
この発明によるランドリモニタを実施するための最良の形態について実施例を用いて説明する。
【実施例１】
【００１５】
この実施例は、図3、図4および図5に示した従来例と同様の概観および内部構成を有し、被検物である洗濯済み衣類等を載せて装置内に送り込むための折りたたみ式テーブルや、被検物を搬送するための搬送部、被検物からの放射線を検出する放射線検出部、制御部、装置を操作するためのスイッチ類や表示器等を備えた操作パネル等を備えている。この実施例が従来例と異なる部分は、搬送部の被検物の出口近傍であるので、以下では実施例のこの部分に限定して説明し、その他の部分の説明は省略する。
図１は、この発明によるランドリモニタの実施例の主要部の構成を示し、（ａ）は平面図、（ｂ）は側面図である。なお、従来技術と同じ機能の部分には同じ符号を用いる。
この実施例の特徴は、ほつれた被検物のほつれ糸が被検物の搬送部の出口側に配置される下側駆動ローラ23のベルト溝231の中に入ってこれに巻き付くことを防止するためのほつれ糸巻込み防止板22を備えていることである。
【００１６】
ほつれ糸巻込み防止板22は、搬送部ガイド板21の上面に取り付けられ、下側コンベアのエンドレスベルト群を構成している複数のゴム製の下側丸ベルト26の下方から、下側丸ベルト26と下側駆動ローラ23の下側丸ベルト26引き込み側との間に延在し、更に下側丸ベルト26の両側面に延びる櫛形をしている。すなわち、下側丸ベルト26が通過する部分が切込み部221として除去されて櫛の歯形状になっており、櫛の歯の部分がベルト溝231を覆っている。この部分の先端位置は、ほつれ糸巻込み防止板22が被検物の搬送を妨げないようにするために、その高さが下側丸ベルト26の上面より低くなる位置に限定されている。更に、切込み部221の直前には、断面形状が台形で平面形状が円形でありその直径がベルト溝231の幅より幾らか大きいほつれ糸排除突起222が、プレス加工等で形成されている。このほつれ糸排除突起222は、ほつれ糸巻込み防止板22の表面を滑ってくるほつれ糸を左右いずれかに移動させるものであり、ほつれ糸が切込み部221と下側丸ベルト26との隙間からベルト溝231内へ入ることを大幅に少なくすることができる。
【００１７】
このようなほつれ糸巻込み防止板22を備えることによって、ほつれた被検物のほつれ糸がベルト溝231に入って下側駆動ローラ23に巻き付いてしまうことを防止することができる。
なお、ほつれ糸巻込み防止板22の櫛の歯部をなくした矩形のほつれ糸巻込み防止板でも、ほつれ糸がベルト溝231内に入ることを制限することはできる。
また、図1に示した円形のほつれ糸排除突起222を、図２（ａ）に示した菱形または正方形のほつれ糸排除突起222aや、図２（ｂ）に示した正三角形または二等辺三角形のほつれ糸排除突起222bに置き換えることもできる。図２（ａ）の場合には、下側丸ベルト26の移動方向を対角線とし、図２（ｂ）の場合には、下側丸ベルト26の送り込まれてくる側を頂点とする。
【図面の簡単な説明】
【００１８】
【図１】この発明によるランドリモニタの実施例の主要部の構成を示し、（ａ）は平面図、（ｂ）は側面図
【図２】ほつれ糸排除突起の形状の他例を示す平面図および側面図
【図３】従来のランドリモニタの一例の外観を示す斜視図
【図４】従来例の内部構造を示す側断面図
【図５】下側駆動ローラ23の詳細形状を示す正面図
【符号の説明】
【００１９】
１  折りたたみ式テーブル
２  搬送部
21  搬送部ガイド板
22  ほつれ糸巻込み防止板
221、221a、221b  ほつれ糸排除突起
23  下側駆動ローラ
231  ベルト溝
24  上側駆動ローラ
25  テンションローラ
26  下側丸ベルト
27  上側丸ベルト
28  入口側光電センサ
29  出口側光電センサ
30  固定位置ローラ
４  放射線検出部
41  プラスチックシンチレータ検出器
42  鉛シールド
５  制御部
61  「挿入可」表示灯
62  音声発生部
63  プリンタ
７  操作パネル
８  メンテナンス扉
【図１】
2005134297.tif 000003
【図２】
2005134297.tif 000004
【図３】
2005134297.tif 000005
【図４】
2005134297.tif 000006
【図５】
2005134297.tif 000007